Podtech/llm-jp-corpus-v4-ja_patent huggingface dataset:
【手続補正書】
【提出日】令和2年9月16日(2020.9.16)
【手続補正１】
【補正対象書類名】明細書
【補正対象項目名】００５７
【補正方法】変更
【補正の内容】
【００５７】
図４に最も良く示されるように、各クリップ２０８は、隣接するオーバーラップモジュール２００の露出領域２０４の対応する溝２１０の中に受容される舌状部２０９を提供する。いくつかの実施形態では、モジュールは、露出領域２０４の下面から後方に延在する突起またはリップ２１１を含む。リップ２１１は、リップ２１１と露出領域２０４の下面２１２との間に溝またはチャネル２１０を提供する。いくつかの実施形態では、溝またはチャネル２１０は、クリップ２０８の前方に延びる舌状部２０９を受け入れるために、モジュールの後方に対して開いている。
【手続補正２】
【補正対象書類名】明細書
【補正対象項目名】００６２
【補正方法】変更
【補正の内容】
【００６２】
アンダーラップセクション２０２は、システム１００の特定の用途に適しているように、任意の数の突起２０６を含み得る。例えば、キャビティ１０８を通るより大きな空気流が必要とされる場合（すなわち、キャビティ１０８内により多くの空気空間を作り出すために）、アンダーラップセクション２０２はより少ない突起２０６を含み得る。屋根葺き用モジュール２００が特に重い材料から作られる場合（すなわち、屋根葺き用モジュール２００の重量を支えるために）、または屋根の比較的人の良く通る領域に配置される場合（例えば、屋根の上のサービス要員または他の人の体重を支えるために）、アンダーラップセクション２０２はまた、より多くの突起２０６を含み得る。突起２０６は、アンダーラップセクション２０２を下に横たわる材料１１２の上に適切な距離だけ持ち上げてキャビティ１０８を形成するために、アンダーラップセクション２０２を横切ってほぼ等間隔に配置することができる。
【手続補正３】
【補正対象書類名】明細書
【補正対象項目名】００６３
【補正方法】変更
【補正の内容】
【００６３】
各突起２０６は、アンダーラップ領域２０２の上側２１３に対応するキャビティ２１４を有するアンダーラップ領域２０２の下方に突出した部分によって形成される。例えば、水が屋根葺き用表面の上方に向かって方向付けられ得るような極端な気象条件において、水がオーバーラップ領域の露出領域２０４とアンダーラップモジュールのアンダーラップ領域との間に水が到達する場合、水はモジュールの上面のキャビティ内に集まるかまたは溜まることがある。したがって、本発明によれば、各キャビティは、キャビティ内に水が溜まるのを防止または最小限に抑えるように成形されている。図３に示されるように、屋根葺き用膜１０２は、（水平に対して）傾斜したまたは斜めの屋根向けに特に構成されている。各キャビティは、建物表面の特定の傾斜角度に対してキャビティ内に水が溜まるのを防止または最小限に抑えるように成形されることが好ましい。モジュールが、モジュールの前部２１５がモジュールの後部２２０より下にある状態で斜めに配置されている場合、キャビティは、水がキャビティからモジュールの前部に向かって排水または流れるように成形される。
【手続補正書】
【提出日】令和2年8月13日(2020.8.13)
【手続補正１】
【補正対象書類名】特許請求の範囲
【補正対象項目名】全文
【補正方法】変更
【補正の内容】
【特許請求の範囲】
【請求項１】
式（Ｉ） 
【化１】
2019532123.tif 000001
式中 
Ｒ１は、水素、メチルおよびエチルから選択され； 
Ｒ２は、水素、メチルおよびエチルから選択され、ならびにＲ３は、水素であり、
Ｒ４は、Ｃ２〜Ｃ５アルキル、Ｃ２〜Ｃ５アルケニル、Ｃ１〜Ｃ４アルコキシ、Ｃ３〜Ｃ５シクロアルキル、およびＣ３〜Ｃ６シクロアルケニルから選択される、 
で表される化合物の、フレグランスとしての使用。 
【請求項２】
６−イソブチル−２，３−ジヒドロ−１Ｈ−インデン−１−オン；
６−イソプロピル−２−メチル−２，３−ジヒドロ−１Ｈ−インデン−１−オン；
６−（ｔｅｒｔ−ブチル）−２−メチル−２，３−ジヒドロ−１Ｈ−インデン−１−オン；
２−メチル−６−プロピル−２，３−ジヒドロ−１Ｈ−インデン−１−オン；
６−イソブチル−２，２−ジメチル−２，３−ジヒドロ−１Ｈ−インデン−１−オン；
６−シクロプロピル−２−メチル−２，３−ジヒドロ−１Ｈ−インデン−１−オン；
６−シクロペンチル−２−メチル−２，３−ジヒドロ−１Ｈ−インデン−１−オン；
２−エチル−６−イソブチル−２，３−ジヒドロ−１Ｈ−インデン−１−オン；
６−エチル−２−メチル−２，３−ジヒドロ−１Ｈ−インデン−１−オン；
６−イソペンチル−２−メチル−２，３−ジヒドロ−１Ｈ−インデン−１−オン；
６−エトキシ−２−メチル−２，３−ジヒドロ−１Ｈ−インデン−１−オン；
６−イソプロポキシ−２−メチル−２，３−ジヒドロ−１Ｈ−インデン−１−オン；
２−メチル−６−プロポキシ−２，３−ジヒドロ−１Ｈ−インデン−１−オン；
６−イソブトキシ−２−メチル−２，３−ジヒドロ−１Ｈ−インデン−１−オン；
２−メチル−６−（２−メチルアリル）−２，３−ジヒドロ−１Ｈ−インデン−１−オン；および
６−ブチル−２−メチル−２，３−ジヒドロ−１Ｈ−インデン−１−オン
から選択される請求項１に記載の式（Ｉ）で表される化合物の、フレグランスとしての使用。
【請求項３】
請求項１または２で定義されるとおりの式（Ｉ）で表される化合物、またはそれらの混合物を香り物質として、およびベース材料を含む、フレグランス組成物。 
【請求項４】
請求項１または２に定義されるとおりの式（Ｉ）で表される化合物、またはそれらの混合物を香り物質として、および消費者製品基材を含む、フレグランス品。 
【請求項５】
消費者製品基材を改良し、増強し、または変更する方法であって、これに嗅覚的に許容し得る量の請求項１または２に定義されるとおりの式（Ｉ）で表される化合物、またはそれらの混合物を添加する手段による、前記方法。 
【請求項６】
式（Ｉ） 
【化２】
2019532123.tif 000002
式中、 
Ｒ１は、メチルおよびエチルから選択され； 
Ｒ２は、水素であり、およびＲ３は、水素であり；
Ｒ４は、Ｃ３〜Ｃ５アルキル、Ｃ２〜Ｃ５アルケニル、Ｃ３〜Ｃ４アルコキシ、Ｃ３〜Ｃ５シクロアルキル、およびＣ３〜Ｃ６シクロアルケニルから選択され、ただしＲ４は、イソプロピルもしくはｔｅｒｔ−ブチルではない、 
で表される化合物。
【請求項７】
６−イソブチル−２，３−ジヒドロ−１Ｈ−インデン−１−オン；
６−イソプロピル−２−メチル−２，３−ジヒドロ−１Ｈ−インデン−１−オン；
６−（ｔｅｒｔ−ブチル）−２−メチル−２，３−ジヒドロ−１Ｈ−インデン−１−オン；
２−メチル−６−プロピル−２，３−ジヒドロ−１Ｈ−インデン−１−オン；
６−イソブチル−２，２−ジメチル−２，３−ジヒドロ−１Ｈ−インデン−１−オン；
６−シクロプロピル−２−メチル−２，３−ジヒドロ−１Ｈ−インデン−１−オン；
６−シクロペンチル−２−メチル−２，３−ジヒドロ−１Ｈ−インデン−１−オン；
２−エチル−６−イソブチル−２，３−ジヒドロ−１Ｈ−インデン−１−オン；
６−イソペンチル−２−メチル−２，３−ジヒドロ−１Ｈ−インデン−１−オン；
６−イソプロポキシ−２−メチル−２，３−ジヒドロ−１Ｈ−インデン−１−オン；
２−メチル−６−プロポキシ−２，３−ジヒドロ−１Ｈ−インデン−１−オン；
６−イソブトキシ−２−メチル−２，３−ジヒドロ−１Ｈ−インデン−１−オン；
２−メチル−６−（２−メチルアリル）−２，３−ジヒドロ−１Ｈ−インデン−１−オン；および
６−ブチル−２−メチル−２，３−ジヒドロ−１Ｈ−インデン−１−オン
から選択される請求項６に記載の化合物。
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
（Ａ）元素Ｚｒ、Ｔｉ及び／又はＳｉの少なくとも１種の水溶性化合物；
（Ｂ）少なくとも１種のフッ化物イオン源；及び
（Ｃ）少なくとも１種の接着促進剤、該接着促進剤は、架橋形成型の２価の官能基を介して、アミド基のカルボニル炭素原子に結合された少なくとも１個の第三級アミン基を有する有機化合物であり、ここで、該架橋形成型の２価の官能基は、架橋原子として２個の炭素原子を有する
を含有する、金属表面の耐蝕前処理用の酸性水性組成物。
【請求項２】
成分（Ｃ）の接着促進剤は、少なくとも１個の架橋形成型の２価の官能基を介してアミド基のカルボニル炭素原子に連結された、少なくとも１個の第二級アミン基を追加的に含み、該架橋形成型の２価の官能基は、架橋原子として２個の炭素原子を有することを特徴とする、請求項１に記載の組成物。
【請求項３】
成分（Ｃ）の接着促進剤は、少なくとも１個の第一級アミン基を追加的に含む、請求項１又は２に記載の組成物。
【請求項４】
成分（Ｃ）の接着促進剤の全体に関し、第三級アミン基の数に対する第一級及び第二級アミン基の総数のモル比は、５未満であるが、好ましくは０.７５より大きい、請求項２又は３に記載の組成物。
【請求項５】
該架橋形成型の官能基の炭素原子は、順に、互いに独立して、水素、６個以下の炭素原子を有する分枝状又は非分枝状の脂肪族化合物、５個以下の炭素原子を有するアルキルカルボン酸から選択される官能基で置換されているか、又は、該２個の架橋原子を内部連結する少なくとも３個であるが５個以下の炭素原子を有する２価の脂肪族官能基で置換されていることを特徴とする、請求項１〜４のいずれかに記載の組成物。
【請求項６】
成分（Ｃ）の接着促進剤の分子量は、２００ｇ／ｍｏｌを超える、好ましくは４００ｇ／ｍｏｌを超える、特に好ましくは５００ｇ／ｍｏｌを超えることを特徴とする、請求項１〜５のいずれかに記載の組成物。
【請求項７】
前記組成物中に含有される全ての総量の成分（Ｃ）接着促進剤は、５００ｇ／ｍｏｌを超える、特に好ましくは１,０００ｇ／ｍｏｌを超える重量平均分子量を有することを特徴とする、請求項１〜６のいずれかに記載の組成物。
【請求項８】
接着促進剤は、ある量の１種以上のジ−及び／又はポリアミン、好ましくは１２個以下の炭素原子を有する１種以上のアルキレンジアミン及び／又は隣接するアミン基間に１２個以下の炭素原子を有する１種以上のポリアルキレンアミンと、ある量の１種以上のα，β−不飽和カルボン酸並びにそのエステル及びアミド、好ましくは（メタ）アクリル酸アルキルエステル、特に好ましくは（メタ）アクリル酸メチルエステル及び／又は（メタ）アクリル酸エチルエステルとのワンポット反応を用いて得ることができることを特徴とし、該量のジ−及び／又はポリアミンは好ましくは最初に供され、該量のα，β−不飽和カルボン酸エステルは徐々に添加される、請求項１〜７のいずれかに記載の組成物。
【請求項９】
α，β−不飽和カルボン酸並びにそのエステル及びアミドに対する、ジ−及び／又はポリアミンのモル比は、２以下、好ましくは１.５以下、特に好ましくは１.２以下、より特に好ましくは１以下であるが、０．５以上、特に好ましくは０．６以上、より特に好ましくは０．７以上であることを特徴とする、請求項８に記載の組成物。
【請求項１０】
Ｚｒとして計算して、合計して少なくとも０.００５ｇ／ｋｇ、好ましくは合計して少なくとも０.０１ｇ／ｋｇ、特に好ましくは合計して少なくとも０.０３ｇ／ｋｇ、より特に好ましくは合計して少なくとも０.０５ｇ／ｋｇであるが、好ましくは合計して１ｇ／ｋｇ以下、特に好ましくは合計して０.５ｇ／ｋｇ以下の、元素Ｚｒ、Ｔｉ及び／又はＳｉの水溶性化合物が、成分（Ａ）として含有されることを特徴とする、請求項１〜９のいずれかに記載の組成物。
【請求項１１】
少なくとも０.００５ｇ／ｋｇ、好ましくは少なくとも０.０１ｇ／ｋｇ、特に好ましくは少なくとも０.０５ｇ／ｋｇであるが、好ましくは５ｇ／ｋｇ以下、特に好ましくは１ｇ／ｋｇ以下、より特に好ましくは０.５ｇ／ｋｇ以下の、成分（Ｃ）の接着促進剤である有機化合物が、成分（Ｃ）として含有されることを特徴とする、請求項１〜１０のいずれかに記載の組成物。
【請求項１２】
成分（Ｃ）に対する、Ｚｒとして算出した成分（Ａ）の質量比が、０．２以上、好ましくは０．５以上であるが、好ましくは１０以下、特に好ましくは５以下であることを特徴とする、請求項１〜１１のいずれかに記載の組成物。
【請求項１３】
少なくとも一部において金属材料製の構成部材を耐蝕性コーティングするための方法であって、
ｉ）構成部材の金属材料製の表面の少なくともいくつかを、請求項１〜１２のいずれかに記載の水性組成物と接触させ；次いで、
ｉｉ）金属材料製であり、ステップｉ）において該水性組成物と接触させた、構成部材の表面の少なくともいくつかを、好ましくは陰極電着塗装を用いて、塗装する、該電着は好ましくはアミン変性されたフィルム形成型ポリエポキシドの水性分散体に基づく、
方法。
【請求項１４】
元素Ｚｒ、Ｔｉ及び／又はＳｉの酸化物、水酸化物及び／又はオキシフッ化物と、架橋形成型の２価の官能基を介してアミド基のカルボニル炭素原子に連結された少なくとも１個の第三級アミン基を有する有機化合物とからなる混合型有機／無機中間層を含む、ここで該架橋形成型の２価の官能基は架橋原子として２個の炭素原子を有する、塗装金属基材。
【請求項１５】
架橋形成型の２価の官能基を介してアミド基のカルボニル炭素原子に連結された少なくとも１個の第三級アミン基を有する有機化合物から選択される接着促進剤の、塗装前の金属表面の前処理のための使用であって、該架橋形成型の２価の官能基は架橋原子として２個の炭素原子を有し、ここで、該有機化合物は５００ｇ／ｍｏｌを越える重量平均分子量を有する、使用。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
約５０℃〜約５００℃の融点を有する、金属粉末、Ｓｅ粉末、Ｔｅ粉末、または合金粉末を製造するためのアトマイズプロセスであって、
供給管を介して、前記約５０℃〜約５００℃の融点を有する、金属、Ｓｅ、Ｔｅ、または合金の溶融物を提供することと、
ダイバータを介して、前記溶融物をアトマイズエリアに送達することと、
少なくとも１つのアトマイズガスストリームを前記アトマイズエリアに提供することと、
前記アトマイズプロセスのために使用されるアトマイズチャンバに、水を送達することと、
を含み、
前記アトマイズエリアに送達される前に、前記溶融物は、前記ダイバータにおいて、前記供給管の中心軸に対してある分流角で分流される、プロセス。
【請求項２】
前記分流角（９０−β）は、約３０°〜約７０°である、請求項１に記載のプロセス。
【請求項３】
前記分流角は、約１０°〜約９０°である、請求項１に記載のプロセス。
【請求項４】
前記アトマイズガスと前記溶融物との間で形成される角度は、約４０°〜約９０°である、請求項１に記載のプロセス。
【請求項５】
前記プロセスは、前記約５０℃〜約５００℃の融点を有する金属を提供することを含む、請求項１に記載のプロセス。
【請求項６】
前記金属は、約１５０℃〜約５００℃の融点を有する、請求項５に記載のプロセス。
【請求項７】
前記アトマイズエリアにおける前記アトマイズガス対前記金属の比は、アトマイズされた金属の１ｃｍ３あたり約１００００〜約２００００ｃｍ３のガスである、請求項４に記載のプロセス。
【請求項８】
前記アトマイズエリアにおける前記アトマイズガス対前記金属の比は、アトマイズされた金属の１ｃｍ３あたり約５０００〜約３００００ｃｍ３のガスである、請求項４に記載のプロセス。
【請求項９】
前記金属は、Ｚｎ、Ｉｎ、Ｓｎ、Ｐｂ、およびＢｉを有するグループから選ばれる１つの元素である、請求項１に記載のプロセス。
【請求項１０】
前記プロセスは、前記約５０℃〜約５００℃の融点を有する合金を提供することを含む、請求項１に記載のプロセス。
【請求項１１】
前記合金は、約１００℃〜約３００℃の液相線温度を有する、請求項１０に記載のプロセス。
【請求項１２】
前記合金は、Ｃｕ、Ｓｂ、Ｚｎ、Ｉｎ、Ｍｇ、Ｓｎ、Ｐｂ、Ａｇ、Ｓｅ、Ｔｅ、Ｇａ、およびＢｉを有するグループから選ばれる少なくとも１つの元素を含む、請求項１０に記載のプロセス。
【請求項１３】
前記アトマイズガスストリームは、約３００ｍ／ｓ〜約７００ｍ／ｓの速度を有する、請求項１に記載のプロセス。
【請求項１４】
前記アトマイズガスストリームは、超音速を有する、請求項１に記載のプロセス。
【請求項１５】
前記アトマイズガスは、アトマイズヘッドに対して非垂直に配向された、少なくとも１つのガス入口を介して前記アトマイズヘッドに送達され、前記ガス入口は、ガス出口よりも前に、前記アトマイズヘッドにおいて旋回運動を提供する、請求項１に記載のプロセス。
【請求項１６】
前記プロセスによって、約１．５〜約１．８の幾何標準偏差を有する粉末粒子サイズ分布が提供される、請求項１に記載のプロセス。
【請求項１７】
前記アトマイズチャンバは、約０〜約２０％の酸素を含む、請求項１に記載のプロセス。
【請求項１８】
前記合金溶融物は、少なくとも２つの溶融物分流チャネルによって分流され、
前記分流角は、前記供給管の中心軸と、前記少なくとも２つの溶融物分流チャネルのうちのいずれか１つとの間に形成されている、請求項１に記載のプロセス。
【請求項１９】
前記少なくとも１つの水の噴流は、前記アトマイズチャンバ中に噴霧される、請求項１に記載のプロセス。
【請求項２０】
前記プロセスによって、粉末が提供され、
前記粉末の少なくとも約８０％は、約２５μｍ未満の平均粒子サイズを有する、請求項１に記載のプロセス。
【請求項２１】
前記プロセスによって、粉末が提供され、
前記粉末の少なくとも約７５％は、約１μｍ〜約１５μｍの平均粒子サイズを有する、請求項１に記載のプロセス。
【請求項２２】
前記少なくとも１つのガス入口は、前記アトマイズヘッドにおいて、円形流を生成し、
前記円形流は、前記アトマイズエリアおよび前記アトマイズチャンバにおいて、ガスの動的回転運動をもたらす、請求項１５に記載のプロセス。
【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
複数のペプチドセットであって、各セットが前記ペプチドの異なるアミノ酸位置（「インデックス位置」）を調べる複数のペプチドセットと、複数の別個のペプチド混合物とを含む、コンビナトリアルペプチドライブラリー（ＣＰＬ）であって、ここで、各混合物が、前記インデックス位置において単一の定義されたＤ−アミノ酸（すなわち、ａ、ｃ、ｄ、ｅ、ｉ、ｆ、ｇ、ｈ、ｋ、ｌ、ｍ、ｎ、ｐ、ｑ、ｒ、ｓ、ｔ、ｖ、ｗ、ｙ、またはそれらの修飾形態）を有し、一つ置きの位置が、ランダムＤ−アミノ酸であり、セットの数が、前記ペプチド中に存在する位置の数に等しいコンビナトリアルペプチドライブラリー（ＣＰＬ）。
【請求項２】
前記ペプチド混合物が、前記インデックス位置以外の各位置における各アミノ酸のほぼ等しい提示を含み、好ましくは前記混合物中の各ペプチドが、ほぼ等モル濃度で存在する、請求項１に記載のＣＰＬ。
【請求項３】
前記インデックス位置以外の位置における前記Ｄ−アミノ酸が、システインを除外する、請求項１または請求項２に記載のＣＰＬ。
【請求項４】
前記ペプチドが、ＭＨＣ分子、好ましくはＭＨＣクラスＩ分子によって提示されることが知られている長さのものである、請求項１〜３のいずれか一項に記載のＣＰＬ。
【請求項５】
各混合物が、マルチウェルプレートの別個のウェル中に位置する、請求項１〜４のいずれか一項に記載のＣＰＬ。
【請求項６】
前記ペプチド混合物が、ＭＨＣ分子と接触される、請求項１〜５のいずれか一項に記載のＣＰＬ。
【請求項７】
Ｔ細胞ペプチドアゴニストを同定する方法であって、
コンビナトリアルペプチドライブラリー（ＣＰＬ）を、対象とするＴ細胞受容体（ＴＣＲ）と相互作用することが知られているＭＨＣクラスＩ分子に提供する工程であって、前記ＣＰＬが、複数のペプチドセットであって、各セットが前記ペプチドの異なるアミノ酸位置（「インデックス位置」）を調べる複数のペプチドセットと、複数の別個のペプチド混合物とを含み、各混合物が、前記インデックス位置において単一の定義されたＤ−アミノ酸（すなわち、ａ、ｃ、ｄ、ｅ、ｉ、ｆ、ｇ、ｈ、ｋ、ｌ、ｍ、ｎ、ｐ、ｑ、ｒ、ｓ、ｔ、ｖ、ｗ、ｙ、またはそれらの修飾形態）を有し、一つ置きの位置が、ランダムＤ−アミノ酸であり、セットの数が、前記ペプチド中に存在する位置の数に等しい、工程と；
各ＭＨＣおよびペプチド混合物を、前記標的抗原に結合することが知られているＴ細胞受容体（ＴＣＲ）と接触させて、前記ペプチドの各インデックス位置において認識される前記Ｄ−アミノ酸を決定する工程と；
各インデックス位置において認識されるＤ−アミノ酸を選択することによってアミノ酸配列を生成して、それによって、前記標的抗原に対する免疫応答を引き起こすかまたは促進するＴ細胞アゴニストを同定する工程と
を含む方法。
【請求項８】
前記ＭＨＣ分子が、抗原提示細胞（ＡＰＣ）の細胞表面に存在し、および／または、前記ＴＣＲが、エフェクター細胞の表面に提示される、請求項７に記載の方法。
【請求項９】
各Ｄ−アミノ酸のＴＣＲ認識の前記決定が、エフェクター細胞機能に基づいて選択される、請求項７または請求項８に記載の方法。
【請求項１０】
前記エフェクター細胞が、標的抗原特異的細胞傷害性Ｔリンパ球（ＣＴＬ）である、請求項８または請求項９に記載の方法。
【請求項１１】
前記エフェクター細胞機能が、細胞毒性アッセイ（例えばクロム放出アッセイ）、またはサイトカインおよび／またはケモカイン放出の測定によって決定される、請求項９または請求項１０に記載の方法。
【請求項１２】
前記サイトカインおよび／またはケモカインが、ＭＩＰ−１α、ＭＩＰ−１β、ＩＦＮ−γ、ＩＬ−１、ＩＬ−２、ＩＬ−８、ＩＬ−１２、ＩＬ−１８、ＴＦＮβ、ＣＤ１０７ａ、およびＲＡＮＴＥＳを含む群から選択される、請求項１１に記載の方法。
【請求項１３】
式Ｉ：
Ｘ１  Ｘ２  ｐ  Ｘ３  Ｘ４  ｎ  ｎ  ｐ  ｐ  （Ｉ）
（式中：
Ｘ１は、ｇまたはｒから選択され；
Ｘ２は、ｐまたはｆから選択され；
Ｘ３は、ｐまたはｑから選択され；
Ｘ４は、ｗまたはｇから選択される）
によって表されるアミノ酸配列を含むか、それからなるか、またはそれから本質的になるＤ−アミノ酸ペプチドを含む、免疫調節組成物。
【請求項１４】
前記ペプチドが、配列番号３〜１０に記載されるＤ−アミノ酸配列のいずれか１つを含むか、それからなるか、またはそれから本質的になる、請求項１３に記載の組成物。
【請求項１５】
粒子状形態で製剤化されている、請求項１３または請求項１４に記載の組成物。
【請求項１６】
薬学的に許容できる担体、希釈剤および／または賦形剤をさらに含む、請求項１３〜１５のいずれか一項に記載の組成物。
【請求項１７】
請求項１３〜１６のいずれか一項に記載の組成物を含む、ワクチン。
【請求項１８】
請求項１３〜１６のいずれか一項に記載の組成物、または、請求項１７に記載のワクチンの、インフルエンザ治療剤の製造における使用。
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
少なくとも３百万ダルトンの分子量、＞２．５ｍ３／ｋｇの固有粘度、及び０．１０〜０．１９％ｗ／ｖの濃度を有するヒアルロン酸を含み、ヒト又はヒト以外の動物対象の眼の角結膜に局所投与するための、重症ドライアイ治療用の流体。
【請求項２】
前記流体は、
ａ）６．８〜７．６のｐＨ、
ｂ）２４０〜３３０ｍｏｓｍｏｌ／ｋｇの浸透圧、
ｃ）７．６〜１０．５ｇ／ｌのＮａＣｌ濃度、及び／又は
ｄ）１．０〜１．４ｍｍｏｌ／ｌのリン酸塩濃度
を有する、
請求項１に記載の重症ドライアイ治療用の流体。
【請求項３】
前記流体は、無色透明の溶液であり、目視される不純物がない、及び／又は前記流体は、無菌である、
請求項１又は２に記載の重症ドライアイ治療用の流体。
【請求項４】
前記流体は、保存料フリーのヒアルロン酸ナトリウムの目薬のＣｏｍｆｏｒｔ  Ｓｈｉｅｌｄ（登録商標）である、
請求項１〜３のいずれか一項に記載の重症ドライアイ治療用の流体。
【請求項５】
前記重症ドライアイは、
（ｉ）前記角結膜の平滑さおよび／または完全性の崩壊となる外部刺激、好ましくは、医薬療法、眼の手術、非外科的外傷、コンタクトレンズ装着、微生物感染、アレルゲン、ハプテン、毒剤若しくは刺激物である前記外部刺激、
（ｉｉ）内部刺激、好ましくは、ホルモン障害、リウマチ性疾患、上皮間葉転換（ＥＭＴ）若しくは自己免疫疾患である前記内部刺激、
（ｉｉｉ）眼の傷、
（ｉｖ）物理的外傷、化学的外傷、若しくは放射線、又は、
（ｖ）眼の手術、好ましくは、自然若しくは人工角膜移植；角膜内リング（ＩＣＲｓ）及び人工角膜を含む角膜インプラント；緑内障手術；水晶体乳化、水晶体嚢外手術若しくは水晶体嚢内手術を含む白内障手術；放射状角膜切開術若しくは屈折角膜切開術を含む屈折手術；網膜手術；斜視（ｓｔｒａｂｉｓｍｕｓ）手術；レーザー角膜切削形成術（レーシック）若しくは光屈折角膜切除術（ＰＲＫ）を含む矯正レーザー眼手術；及びクロスリンキング手術から選択される前記眼の手術
により生じる、
請求項１に記載の重症ドライアイ治療用の流体。
【請求項６】
ａ）前記流体は、他の生物活性剤を含まず、好ましくは、疎水性活性成分を含まない、及び／又は
ｂ）前記流体は、他の免疫調節薬、免疫抑制剤若しくは抗生物質を含まない、
請求項１〜５のいずれか一項に記載の重症ドライアイ治療用の流体。
【請求項７】
前記流体は、生物活性剤をさらに含み、好ましくは、前記生物活性剤は疎水性活性成分である、及び／又は前記生物活性剤は眼に刺激やダメージを与える、
請求項１〜６のいずれか一項に記載の重症ドライアイ治療用の流体。
【請求項８】
前記流体は、保存料又は洗剤をさらに含み、好ましくは、前記保存料又は洗剤は、眼に刺激やダメージを与え、任意で、前記保存料又は洗剤は、
（ｉ）化学保存料若しくは酸化保存料である、
（ｉｉ）細菌細胞膜のリピド構造を崩壊させて、抵抗力の低い細胞膜を死滅することによって、細菌細胞膜の透過性を増大させるものである、
（ｉｉｉ）角膜組織にダメージを与えるものである、及び／又は
（ｉｖ）塩化ベンザルコニウム（ＢＡＫ）等の第四級アンモニウム保存料；クロロブタノール；エデト酸２ナトリウム（ＥＤＴＡ）；Ｐｏｌｙｑｕａｄ（登録商標）保存料等のポリクオタニウム−１；Ｐｕｒｉｔｅ（登録商標）保存料等の安定オキシクロロ錯体等の安定酸化剤；ｓｏｆＺｉａ（登録商標）保存料等のイオン緩衝保存料；ポリヘキサメチレンビグアナイド（ＰＨＭＢ）；ＧｅｎＡｑｕａ（登録商標）保存料等の過ホウ酸ナトリウム；及びソルビン酸塩からなる群から選択される、
請求項１〜７のいずれか一項に記載の重症ドライアイ治療用の流体。
【請求項９】
前記流体は、生物活性剤、保存料、洗剤、又はこれらの２つ以上の組み合わせを含む組成物の投与前、中及び／又は後に投与するためであり、前記生物活性剤は、好ましくは疎水性活性成分であり、好ましくは、前記生物活性剤、保存料、洗剤又はこれらの組み合わせは、眼に刺激やダメージを与える、
請求項１に記載の重症ドライアイ治療用の流体。
【請求項１０】
前記流体は、前記角結膜に、滴下又は洗浄として直接投与するためであり、任意で、１〜３滴を、１日に１〜３回投与するための、
請求項１に記載の重症ドライアイ治療用の流体。
【請求項１１】
前記流体は、角結膜又は眼のその他の部分に局所的に投与される送達剤により角結膜に間接的に投与するためであり、好ましくは、前記送達剤は、前記流体でコートされる、及び／又は前記流体を角結膜に分泌する粒子である、
請求項１に記載の重症ドライアイ治療用の流体。
【請求項１２】
前記ヒアルロン酸は、＞２．９ｍ３／ｋｇの固有粘度を有している、
請求項１に記載の重症ドライアイ治療用の流体。
【請求項１３】
前記流体は、保存料をさらに含む、又は前記流体は、保存料をさらに含まない、
請求項１に記載の重症ドライアイ治療用の流体。
【請求項１４】
前記流体は、追加のグリコサミノグリカン（ＧＡＧ）、電解質、緩衝液又はこれらの２種類以上の組み合わせを含み、好ましくは、前記電解質は塩化ナトリウムである、及び／又は前記緩衝液は、リン酸塩緩衝液である、
請求項１に記載の重症ドライアイ治療用の流体。
【手続補正書】
【提出日】令和2年10月7日(2020.10.7)
【手続補正１】
【補正対象書類名】特許請求の範囲
【補正対象項目名】全文
【補正方法】変更
【補正の内容】
【特許請求の範囲】
【請求項１】
a)有効量の少なくとも1つの活性成分、
b)凍結乾燥剤形の全質量に基づいて、約5質量%〜約40質量%の量の結晶構造形成化剤、及び
c)少なくとも1つの粘膜付着性ポリマーマトリックス形成化剤
を含む固体凍結乾燥膣剤形であって、約4.0〜5.0のpHを有し、膣粘膜に接触後120秒以内に崩壊する、固体凍結乾燥膣剤形。
【請求項２】
膣粘膜に接触して90秒以内に崩壊する、請求項1に記載の固体凍結乾燥膣剤形。
【請求項３】
粘膜付着性マトリックス形成化剤が、少なくとも1つの魚ゼラチンを含む、請求項1又は2に記載の固体凍結乾燥膣剤形。
【請求項４】
粘膜付着性マトリックス形成化剤が、少なくとも1つのウシゼラチンを含む、請求項1から3のいずれか一項に記載の固体凍結乾燥膣剤形。
【請求項５】
粘膜付着性マトリックス形成化剤が、凍結乾燥剤形の全質量に基づいて1〜60質量%を構成する、請求項1から4のいずれか一項に記載の固体凍結乾燥膣剤形。
【請求項６】
結晶構造形成化剤が、糖又は糖アルコールを含む、請求項1から5のいずれか一項に記載の固体凍結乾燥膣剤形。
【請求項７】
結晶構造形成化剤が、マンニトール、キシリトール、サッカロース、グルコース、ラクトース、フルクトース、デキストロース、ガラクトース、トレハロース、シクロデキストリン、及び、それらの任意の組合せから選択される構造形成化剤を含む、請求項1から6のいずれか一項に記載の固体凍結乾燥膣剤形。
【請求項８】
コロイド状二酸化ケイ素、シメチコン、及びポリオキシプロピレン-ポリオキシエチレンコポリマーから選択される少なくとも1つの滑沢剤を更に含む、請求項1から7のいずれか一項に記載の固体凍結乾燥膣剤形。
【請求項９】
キトサン、メチルセルロース、及びヒドロキシエチルセルロース、並びにヒドロキシプロピルメチルセルロースポリマーから選択される粘膜付着性マトリックス形成化剤を含む、請求項1から8のいずれか一項に記載の固体凍結乾燥膣剤形。
【請求項１０】
ゲル化性又は非ゲル化性ゼラチン、加水分解又は非加水分解ゼラチン、ポビドン、デンプン、加工デンプン、デキストリン、ダイズ、コムギ及びオオバコ種子タンパク質、キトサン、デキストラン、多糖類、ゼラチン-アカシア複合体等のポリペプチド/タンパク質又は多糖複合体、メチルセルロース、カルボキシメチルセルロース、チオール化カルボキシメチルセルロース、カルボキシメチルセルロースナトリウム、ヒドロキシエチルセルロース、ヒドロキシルプロピルメチルセルロース、及びメチルヒドロキシエチルセルロース、アガロース、ヒアルロン酸、カラゲナン、ペクチン、アルギネート、ポリアクリル酸、架橋ポリ(アクリル酸)、ポリカルボフィル、ポリアクリレート、メタクリル酸ポリマー、ポリビニルアルコール、ポリビニルピロリドン、エチルヘキシルアクリレート、他のチオール化ポリマー、ガム、並びに、それらの任意の組合せから選択される粘膜付着性マトリックス形成化剤を含む、請求項1から8のいずれか一項に記載の固体凍結乾燥膣剤形。
【請求項１１】
pH調整剤を更に含む、請求項1から10のいずれか一項に記載の固体凍結乾燥膣剤形。
【請求項１２】
少なくとも60%の多孔率を有する、請求項1から11のいずれか一項に記載の固体凍結乾燥膣剤形。
【請求項１３】
60%以上85%未満の多孔率を有する、請求項1から12のいずれか一項に記載の固体凍結乾燥膣剤形。
【請求項１４】
剤形の取扱い及び膣腔中への挿入に伴う破壊に対して抵抗するのに十分な物理的堅牢性を有する、請求項1から13のいずれか一項に記載の固体凍結乾燥膣剤形。
【請求項１５】
破断ピーク荷重により測定される、10N超かつ100N未満の錠剤強度を有する、請求項1から14のいずれか一項に記載の固体凍結乾燥膣剤形。
【請求項１６】
活性成分が、凍結乾燥剤形の全質量に基づいて最大で60質量%を構成する、請求項1から15のいずれか一項に記載の固体凍結乾燥膣剤形。
【請求項１７】
活性成分が、アシクロビル、フルコナゾール、プロゲステロン、ノノキシノール-9、テルブタリン、リドカイン、テストステロン、ジノプロストン、乳酸菌、エストロゲン、ナフタレン2-スルホネート、ブトコナゾール、硝酸/リン酸クリンダマイシン、硫酸ネオマイシン、硫酸ポリミキシン、ナイスタチン、クロトリマゾール、硫酸デキストリン、グリミノックス、硝酸ミコナゾール、塩化ベンザルコニウム、ラウリル硫酸ナトリウム、テノホビル、ダナゾール、アクリフラビン、酢酸リュープロレリン、メトロニダゾール、塩酸ベンジダミン、クロラムフェニコール、オキシブチニン、エチニルエストラジオール、インスリン、カルシトニン、並びに、活性成分と同様の活性を有する前述の活性成分のいずれかの塩、エステル、水和物、溶媒和物、及び誘導体、HIV、HPV、クラミジア、B型肝炎、淋菌のワクチン抗原、並びに、それらの組合せからなる群から選択される、請求項1から16のいずれか一項に記載の固体凍結乾燥膣剤形。
【請求項１８】
活性成分が、抗細菌剤、抗真菌剤、抗原虫剤、抗ウイルス剤、陣痛誘発剤、殺精子剤、プロスタグランジン、ステロイド及び殺菌剤、タンパク質/ペプチド、ワクチン抗原、並びにそれらの組合せからなる群から選択される、請求項1から17のいずれか一項に記載の固体凍結乾燥膣剤形。
【請求項１９】
二酸化ケイ素を更に含む、請求項1から18のいずれか一項に記載の固体凍結乾燥膣剤形。
【請求項２０】
結晶構造形成化剤が、マンニトールを含む、請求項1から19のいずれか一項に記載の固体凍結乾燥膣剤形。
【請求項２１】
請求項1から20のいずれか一項に記載の固体凍結乾燥膣剤形を膣粘膜に接触させる工程を含む方法によって、活性成分が膣腔に送達される、請求項1から20のいずれか一項に記載の固体凍結乾燥膣剤形。
【手続補正書】
【提出日】令和2年10月23日(2020.10.23)
【手続補正１】
【補正対象書類名】特許請求の範囲
【補正対象項目名】全文
【補正方法】変更
【補正の内容】
【特許請求の範囲】
【請求項１】
第１のポリマーがポリ塩化ビニル、ポリ乳酸、ポリヒドロキシアルカノエートおよびそれらの混合物からなる群から選択される、４０〜９９重量％の第１のポリマー；および
１〜６０重量％のポリブチレン（スクシネート−ｃｏ−アジペート）（「ＰＢＳＡ」）
を含み、
前記ＰＢＳＡが：
４０〜６０モルパーセントの１，４−ブタンジオール由来部分、
１０〜５０モルパーセントのコハク酸由来部分、および
１０〜５０モルパーセントのアジピン酸由来部分
を含む、
ポリマー組成物。
【請求項２】
ＰＢＳＡの重量平均分子量が、５０，０００〜２００，０００である、請求項１に記載のポリマー組成物。
【請求項３】
ＰＢＳＡの重量平均分子量が、８０，０００〜１２０，０００である、請求項１に記載のポリマー組成物。
【請求項４】
ＰＢＳＡの粘度が、２１５℃の温度で、１５〜４０Ｐａ−ｓ（１５，０００〜４０，０００センチポアズ）である、請求項１に記載のポリマー組成物。
【請求項５】
ＰＢＳＡの融点が、２０℃〜７５℃である、請求項１に記載のポリマー組成物。
【請求項６】
ＰＢＳＡの融点が、２５℃〜４０℃である、請求項１に記載のポリマー組成物。
【請求項７】
１〜１０重量％のＰＢＳＡを含む、請求項１に記載のポリマー組成物。
【請求項８】
５０〜６０重量％のＰＢＳＡを含む、請求項１に記載のポリマー組成物。
【請求項９】
充填剤、顔料、安定剤、補助安定剤、二次可塑剤、滑剤、耐衝撃性改良剤、および粘度低下剤からなる群から選択される少なくとも１種の添加剤をさらに含む、請求項１に記載のポリマー組成物。
【請求項１０】
請求項１〜８のいずれかに記載のポリマー組成物を作製するための方法であって：
１，４−ブタンジオールをコハク酸およびアジピン酸と反応させてプレポリマーを形成するステップ；
プレポリマーを縮合重合反応で重合させてポリブチレン（スクシネート−ｃｏ−アジペート）（「ＰＢＳＡ」）を形成するステップ；および
第１のポリマーをＰＢＳＡとブレンドしてポリマー組成物を形成するステップを含む方法であって、
ポリマー組成物が、４０〜９９重量％の第１のポリマー；および１〜６０重量％のＰＢＳＡを含み、
前記第１のポリマーがポリ塩化ビニル、ポリ乳酸、ポリヒドロキシアルカノエートおよびそれらの混合物からなる群から選択され、
前記ＰＢＳＡが：
４０〜６０モルパーセントの１，４−ブタンジオール由来部分、
１０〜５０モルパーセントのコハク酸由来部分、および
１０〜５０モルパーセントのアジピン酸由来部分
を含む、
上記方法。
【請求項１１】
金属酸化物または有機金属酸化物触媒を使用して、ＰＢＳＡを形成するためのプレポリマーの重合が実施され、金属酸化物または有機金属酸化物触媒中の金属が、チタン、ジルコニウム、スズ、ゲルマニウム、アンチモン、ハフニウム、およびビスマスからなる群から選択される、請求項１０に記載の方法。
【請求項１２】
チタンイソプロポキシド、ジルコニウムブトキシド、およびそれらの混合物からなる群から選択される触媒を使用して、ＰＢＳＡを形成するためのプレポリマーの重合が実施される、請求項１０に記載の方法。
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
光学部品を接合するための接着剤組成物であって、
少なくとも１種のエポキシ樹脂；
カチオン性光開始剤及び増感剤のうちの少なくとも１つを含む可視光光開始系；
ポリオール；並びに
第１の公称寸法を有する第１のナノ粒子及び第２の寸法を有する第２のナノ粒子を含む少なくとも５０重量％のナノ粒子フィラーを含み、前記第１のナノ粒子は、前記第２のナノ粒子より大きく、
前記接着剤が、硬化されると、１５５０ｎｍで１．４４〜１．４８５の屈折率及び−２Ｅ−４未満のｄｎ／ｄＴを有する、接着剤組成物。
【請求項２】
前記少なくとも１種のエポキシ樹脂が、脂肪族エポキシ樹脂、脂環式エポキシ樹脂及びエポキシ官能性シリコーン樹脂のうちの１つである、請求項１に記載の接着剤組成物。
【請求項３】
前記ポリオールが、１，２−エタンジオール、１，２−プロパンジオール、１，３−プロパンジオール、１，４−ブタンジオール、１，３−ブタンジオール、２−メチル−１，３−プロパンジオール、２，２−ジメチル−１，３−プロパンジオール、２−エチル−１，６−ヘキサンジオール、１，５−ペンタンジオール、１，６−ヘキサンジオール、１，８−オクタンジオール、及びネオペンチルグリコールのうちの少なくとも１つである、請求項１に記載の接着剤組成物。
【請求項４】
第１の公称寸法を有する前記第１のナノ粒子と第２のナノ粒子との質量比が、９５／５〜７５／２５である、請求項１に記載の接着剤組成物。
【請求項５】
第１の公称寸法を有する前記第１のナノ粒子と第２のナノ粒子のサイズが２：１〜７：１である、請求項１に記載の接着剤組成物。
【請求項６】
前記ナノ粒子フィラーが、ナノ粒子シリカである、請求項１に記載の接着剤。
【請求項７】
電子供与体を更に含む、請求項１に記載の接着剤組成物。
【請求項８】
前記接着剤組成物が、青色光硬化性である、請求項１に記載の接着剤組成物。
【請求項９】
硬化した接着剤が、５０℃より高いガラス転移温度を有する、請求項１に記載の接着剤。
【請求項１０】
熱膨張係数が約４５ｐｐｍ未満である、請求項１に記載の接着剤。
【請求項１１】
光学部品を接合するための接着剤組成物であって、
５重量％〜４９．９重量％の少なくとも１種のエポキシ樹脂と；
０．１重量％〜３０重量％のポリオールと；
前記エポキシ樹脂及び前記ポリオールの重量に基づいて１％〜３％のカチオン性光開始剤並びに前記エポキシ樹脂及び前記ポリオールの重量に基づいて０．０５％〜０．５％の増感剤を含む、可視光光開始系と；
少なくとも５０重量％のナノ粒子フィラーと
を含み；
前記接着剤が、硬化されると、１５５０ｎｍで１．４４〜１．４８５の屈折率及び−２Ｅ−４未満のｄｎ／ｄＴを有する、接着剤組成物。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
水リサイクルループにおける汚損を低減する方法であって、
処理されたプロセス水を形成するために、第１の重合阻害剤および第２の重合阻害剤を、水リサイクルループ内のパイガスを含むプロセス水に適用することであって、前記第１の重合阻害剤は、約０．０００１〜９のパイガス−水分配係数を有し、前記第２の重合阻害剤は、約１０００〜５０，０００のパイガス−水分配係数を有し、前記処理されたプロセス水中の前記第１および第２の重合阻害剤の総濃度は、約５ｐｐｍ〜５００ｐｐｍである、適用することと；
前記処理されたプロセス水を前記水リサイクルループの内部表面と接触させることと、を含む方法。
【請求項２】
プロセス水から得られたパイガス、水、またはパイガスおよび水の両方を使用して、前記第１および第２の重合阻害剤のパイガス−水分配係数を決定することをさらに含む、請求項１に記載の方法。
【請求項３】
トルエン、スチレン、シクロヘキサン、ｎ−ヘキサンおよびジシクロペンタジエンを含む模擬パイガスを使用して、前記第１および第２の重合阻害剤のパイガス−水分配係数を決定することをさらに含む、請求項１に記載の方法。
【請求項４】
前記処理されたプロセス水中の前記第１および第２の重合阻害剤の合計濃度が、約１０ｐｐｍ〜１００ｐｐｍである、請求項１〜３のいずれか一項に記載の方法。
【請求項５】
前記第１および第２の重合阻害剤が、約１：９〜９：１の重量比で前記プロセス水に適用される、請求項１〜４のいずれか一項に記載の方法。
【請求項６】
前記第１の重合阻害剤が、約０．００１〜１のパイガス−水分配係数を有する、請求項１〜５のいずれか一項に記載の方法。
【請求項７】
第１の重合阻害剤が、２，２，６，６−テトラメチルピペリジニル−１−オキシル、１−ヒドロキシ−２，２，６，６−テトラメチルピペリジン、４−ヒドロキシ−２，２，６，６−テトラメチルピペリジニル−１−オキシル、４−オキソ−２，２，６，６−テトラメチルピペリジニル−１−オキシル、１，４−ジヒドロキシ−２，２，６，６−テトラメチルピペリジン、および１−ヒドロキシ−４−オキソ−２，２，６，６−テトラメチルピペリジン、またはそれらの組み合わせから選択される、請求項１〜６のいずれか一項に記載の方法。
【請求項８】
前記第２の重合阻害剤が、約５０００〜２５，０００のパイガス−水分配係数を有する、請求項１〜７のいずれか一項に記載の方法。
【請求項９】
前記第２の重合阻害剤が、１，４−フェニレンジアミン、そのアルキル化誘導体、またはそれらのブレンドから選択される、請求項１〜８のいずれか一項に記載の方法。
【請求項１０】
前記適用が、熱分解プラント内のコアレッサーの下流にある、請求項１〜９のいずれか一項に記載の方法。
【請求項１１】
前記プロセス水および／または前記処理されたプロセス水が、約６０℃〜１１０℃の温度で存在する、請求項１〜１０のいずれか一項に記載の方法。
【請求項１２】
前記水リサイクルループが、希釈蒸気システムを備える、請求項１〜１１のいずれか一項に記載の方法。
【請求項１３】
処理されたプロセス水であって、
水リサイクルループ内に配置され、パイガスを含むプロセス水であって、６０℃〜１００℃の温度で存在するプロセス水と；
約０．０００１〜９のパイガス−水分配係数を有する第１の重合阻害剤と；
約１０００〜５０，０００のパイガス−水分配係数を有する第２の重合阻害剤とを含み、
前記第１および第２の重合阻害剤は、約１：９〜９：１の重量比で組成物中に存在し、前記処理されたプロセス水中の前記第１および第２の重合阻害剤の合計濃度は、約５ｐｐｍ〜５００ｐｐｍまたは約１０ｐｐｍ〜１００ｐｐｍである、処理されたプロセス水。
【請求項１４】
前記第１の重合阻害剤が、２，２，６，６−テトラメチルピペリジニル−１−オキシル、１−ヒドロキシ−２，２，６，６−テトラメチルピペリジン、４−ヒドロキシ−２，２，６，６−テトラメチルピペリジニル−１−オキシル、４−オキソ−２，２，６，６−テトラメチルピペリジニル−１−オキシル、１，４−ジヒドロキシ−２，２，６，６−テトラメチルピペリジン、および１−ヒドロキシ−４−オキソ−２，２，６，６−テトラメチルピペリジン、またはそれらの組み合わせから選択され、前記第２の重合阻害剤が、１，４−フェニレンジアミン、そのアルキル化誘導体、およびそれらの組み合わせから選択される、請求項１３に記載の処理されたプロセス水。
【請求項１５】
希釈蒸気システムの水リサイクルループ内の汚損を低減するための、請求項１３または１４に記載の処理されたプロセス水の使用。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
以下のモノマー：
（ａ）１０〜２５質量％の（メタ）アクリル酸とヒドロキシル化水素化ポリブタジエンとのエステル；および
（ｂ）０．５〜１１質量％のＣ４〜１８アルキルアクリレート
を含む、ポリアルキル（メタ）アクリレート系櫛形ポリマー。
【請求項２】
以下のモノマー：
（ａ）１０〜２５質量％の（メタ）アクリル酸とヒドロキシル化水素化ポリブタジエンとのエステル；
（ｂ）０．５〜１１質量％のＣ４〜１８アルキルアクリレート；
（ｃ）０〜１質量％のメチルメタクリレート；
（ｄ）５５〜７０質量％のｎ−ブチルメタクリレート；
（ｅ）５〜２０質量％のＣ１０〜１５アルキルメタクリレート；および
（ｆ）０〜２質量％のスチレンモノマー
を含む、請求項１記載のポリアルキル（メタ）アクリレート系櫛形ポリマー。
【請求項３】
成分（ｂ）として０．５〜５質量％のＣ４〜１８アルキルアクリレートを含む、請求項１または２記載のポリアルキル（メタ）アクリレート系櫛形ポリマー。
【請求項４】
市販のポリメチルメタクリレート標準を用いるサイズ排除クロマトグラフィー（ＳＥＣ）によって測定された、２００，０００〜８００，０００ｇ／モルの範囲の質量平均分子量Ｍｗを有することを特徴とする、請求項１から３までのいずれか１項記載のポリアルキル（メタ）アクリレート系コポリマー。
【請求項５】
成分（ａ）のヒドロキシル化水素化ポリブタジエンが、ＤＩＮ  ５５６７２−１に従って４，０００〜６，０００ｇ／モルの数平均分子量Ｍｎを有することを特徴とする、請求項１から４までのいずれか１項記載のポリアルキル（メタ）アクリレート系コポリマー。
【請求項６】
７以下のＰＳＳＩを有し、前記ＰＳＳＩ値は、ＡＳＴＭ  Ｄ  ２６０３−Ｂに従って測定されたデータに基づいてＡＳＴＭ  Ｄ  ６０２２−０１に従って算出されることを特徴とする、請求項１から５までのいずれか１項記載のポリアルキル（メタ）アクリレート系コポリマー。
【請求項７】
請求項１から６までのいずれか１項記載のポリアルキル（メタ）アクリレート系櫛形ポリマーを、潤滑油組成物のノアック蒸発損失の低減のために用いる使用。
【請求項８】
（Ａ）６０〜８０質量％のベースオイル、および
（Ｂ）以下のモノマー：
（ａ）１０〜２５質量％の（メタ）アクリル酸とヒドロキシル化水素化ポリブタジエンとのエステル；および
（ｂ）０．５〜１１質量％のＣ４〜１８アルキルアクリレート
を含む２０〜４０質量％のポリアルキル（メタ）アクリレート系櫛形ポリマー
を含む、添加剤組成物。
【請求項９】
（Ａ）６０〜８０質量％のベースオイル、および
（Ｂ）以下のモノマー：
（ａ）１０〜２５質量％の（メタ）アクリル酸とヒドロキシル化水素化ポリブタジエンとのエステル；
（ｂ）０．５〜１１質量％のＣ４〜１８アルキルアクリレート；
（ｃ）０〜１質量％のメチルメタクリレート；
（ｄ）５５〜７０質量％のｎ−ブチルメタクリレート；
（ｅ）５〜２０質量％のＣ１０〜１５アルキルメタクリレート；および
（ｆ）０〜２質量％のスチレンモノマー
を含む２０〜４０質量％のポリアルキル（メタ）アクリレート系櫛形ポリマー
を含む、請求項８記載の添加剤組成物。
【請求項１０】
少なくとも２４５のＶＩを有することを特徴とする、請求項８または９記載の添加剤組成物。
【請求項１１】
成分（Ａ）は、７０〜７５質量％の量で存在し、成分（Ｂ）は、２５〜３０質量％の量で存在することを特徴とする、請求項８から１０までのいずれか１項記載の添加剤組成物。
【請求項１２】
成分（Ａ）は、前記添加剤組成物の全質量を基準として、
（Ａ１）５４〜８０質量％の、ＡＰＩグループＩのオイル、グループＩＩのオイル、グループＩＩＩのオイル、グループＩＶのオイルおよびそれらの混合物からなる群から選択されるベースオイル、ならびに
（Ａ２）０〜６質量％のＡＰＩグループＶのオイル
を含むことを特徴とする、請求項８から１１までのいずれか１項記載の添加剤組成物。
【請求項１３】
請求項８から１２までのいずれか１項記載の添加剤組成物を、潤滑油組成物のノアック蒸発損失の低減のために用いる使用。
【請求項１４】
（Ａ）７５〜９９．５質量％のベースオイル、
（Ｂ）以下のモノマー：
（ａ）１０〜２５質量％の（メタ）アクリル酸とヒドロキシル化水素化ポリブタジエンとのエステル；
（ｂ）０．５〜１１質量％のＣ４〜１８アルキルアクリレート
を含む０．５〜１０質量％のポリアルキル（メタ）アクリレート系櫛形ポリマー、および
（Ｃ）０〜１５質量％の１種以上のさらなる添加剤
を含む、潤滑油組成物。
【請求項１５】
（Ａ）７５〜９９．５質量％のベースオイル、
（Ｂ）以下のモノマー：
（ａ）１０〜２５質量％の（メタ）アクリル酸とヒドロキシル化水素化ポリブタジエンとのエステル；
（ｂ）０．５〜１１質量％のＣ４〜１８アルキルアクリレート；
（ｃ）０〜１質量％のメチルメタクリレート；
（ｄ）５５〜７０質量％のｎ−ブチルメタクリレート；
（ｅ）５〜２０質量％のＣ１０〜１５アルキルメタクリレート；
（ｆ）０〜２質量％のスチレンモノマー
を含む０．５〜１０質量％のポリアルキル（メタ）アクリレート系櫛形ポリマー、および
（Ｃ）０〜１５質量％の１種以上のさらなる添加剤
を含む、請求項１４記載の潤滑油組成物。
【請求項１６】
成分（Ａ）は、前記潤滑油組成物の全質量を基準として、
（Ａ１）７４．２５〜９９．４５質量％の、ＡＰＩグループＩのオイル、グループＩＩのオイル、グループＩＩＩのオイル、グループＩＶのオイルおよびそれらの混合物からなる群から選択されるベースオイル、および
（Ａ２）０．０５〜０．７５質量％のＡＰＩグループＶのオイル
を含むことを特徴とする、請求項１４または１５記載の潤滑油組成物。
【請求項１７】
成分（Ｃ）は、慣用のＶＩ向上剤、分散剤、消泡剤、清浄剤、酸化防止剤、流動点降下剤、耐摩耗添加剤、極圧添加剤、摩擦調整剤、防食添加剤、染料およびそれらの混合物からなる群から選択されることを特徴とする、請求項１４から１６までのいずれか１項記載の潤滑油組成物。
【手続補正書】
【提出日】令和2年9月14日(2020.9.14)
【手続補正１】
【補正対象書類名】明細書
【補正対象項目名】００２７
【補正方法】変更
【補正の内容】
【００２７】
少なくとも前記ＡＯ２供給源の添加は、それ故に、熟成工程（ｉｉ）の間に、前記熟成工程における極めて特殊な瞬間において行われる。熟成は、それ故に、添加の後に、１０時間〜６０日、好ましくは１０時間〜３０日、非常に好ましくは１日〜３０日、一層より好ましくは１日〜２０日の期間にわたって継続する。